(57)【要約】【課題】撮影状況に応じた好適な画像データを保存対象の画像データとして優先的に提示することが可能な撮像装置等を提供する。【解決手段】本発明の撮像装置は、被写体を撮影して画像データを取得する撮像部と、連続的な撮影動作を行わせて複数の静止画の画像データを取得させる制御部と、画像データを記録及び保存することが可能な記録部と、複数の静止画の画像データが取得された際の撮影状況に基づき、記録部に保存される画像データとして最も適切であると推定されるものから順番に優先度を設定する優先度設定部と、優先度設定部により設定された優先度に基づき、１番目の優先度に設定された１つの静止画の画像データを含む第１の画面を表示部に表示させた後で、２番目の優先度以降の他の優先度に設定された１つ以上の静止画の画像データを含む第２の画面を表示部に表示させる表示制御部と、を有する。【選択図】図１
2012109686.tif 000002
【特許請求の範囲】
【請求項１】
被写体を撮影することにより画像データを取得する撮像部と、
前記撮像部における撮影動作を連続的に行わせることにより複数の静止画の画像データを取得させる制御部と、
前記撮像部により取得された画像データを記録及び保存することが可能な記録部と、
前記複数の静止画の画像データが取得された際の撮影状況に基づき、前記記録部に保存される画像データとして最も適切であると推定されるものから順番に、前記複数の静止画の画像データ毎に優先度を設定する優先度設定部と、
前記優先度設定部により設定された前記優先度に基づき、前記複数の静止画の画像データの中で１番目の優先度に設定された１つの静止画の画像データを含む第１の画面を表示部に表示させた後で、２番目の優先度以降の他の優先度に設定された１つ以上の静止画の画像データを含む第２の画面を前記表示部に表示させる表示制御部と、
を有することを特徴とする撮像装置。
【請求項２】
前記表示制御部は、前記第１の画面に含まれる前記１つの静止画の画像データを前記記録部に記録させない旨の選択がなされた場合に、前記第２の画面を前記表示部に表示させることを特徴とする請求項１に記載の撮像装置。
【請求項３】
前記表示制御部は、前記第１の画面に含まれる前記１つの静止画の画像データを前記記録部に記録させる旨の選択が一定時間なされなかった場合に、前記第２の画面を前記表示部に表示させることを特徴とする請求項１に記載の撮像装置。
【請求項４】
前記制御部は、前記第１の画面に含まれる前記１つの静止画の画像データの前記記録部への記録の要否、及び、前記第２の画面に含まれる前記１つ以上の静止画の画像データの前記記録部への記録の要否がいずれも選択されないまま一定時間が経過した場合に、前記優先度設定部により設定された前記優先度に基づき、１番目及び２番目の優先度に設定された２つの画像データを前記記録部に記録及び保存させることを特徴とする請求項１に記載の撮像装置。
【請求項５】
前記制御部は、前記第１の画面に含まれる前記１つの静止画の画像データの前記記録部への記録の要否が選択されない状態において、前記被写体の撮影に係る操作が行われた場合に、前記１つの静止画の画像データを前記記録部に記録及び保存させた後で、前記撮像部による撮影動作を行わせることを特徴とする請求項１に記載の撮像装置。
【請求項６】
前記優先度設定部は、前記被写体の撮影に係る操作が行われた直後に取得された画像データの優先度を、１番目の優先度として設定することを特徴とする請求項１に記載の撮像装置。
【請求項７】
前記優先度設定部は、さらに、前記複数の静止画の画像データが取得された際の時刻である撮影時刻が新しくなるにつれて優先度が高くなるように、前記他の優先度の設定を行うことを特徴とする請求項６に記載の撮像装置。
【請求項８】
前記表示制御部は、前記被写体の撮影に係る操作が行われた直後に、前記第１の画面を前記表示部に表示させることを特徴とする請求項１に記載の撮像装置。
【請求項９】
被写体を撮影することにより画像データを取得する撮像ステップと、
前記撮像ステップにおける撮影動作を連続的に行わせることにより複数の静止画の画像データを取得させる制御ステップと、
前記複数の静止画の画像データが取得された際の撮影状況に基づき、前記撮像ステップにより取得された画像データを記録及び保存することが可能な記録部に保存される画像データとして最も適切であると推定されるものから順番に、前記複数の静止画の画像データ毎に優先度を設定する優先度設定ステップと、
前記優先度設定ステップにより設定された前記優先度に基づき、前記複数の静止画の画像データの中で１番目の優先度に設定された１つの静止画の画像データを含む第１の画面を表示部に表示させた後で、２番目の優先度以降の他の優先度に設定された１つ以上の静止画の画像データを含む第２の画面を前記表示部に表示させる表示制御ステップと、
を有することを特徴とする撮像方法。
【請求項１０】
前記表示制御ステップは、前記第１の画面に含まれる前記１つの静止画の画像データを前記記録部に記録させない旨の選択がなされた場合に、前記第２の画面を前記表示部に表示させることを特徴とする請求項９に記載の撮像方法。
【請求項１１】
前記表示制御ステップは、前記第１の画面に含まれる前記１つの静止画の画像データを前記記録部に記録させる旨の選択が一定時間なされなかった場合に、前記第２の画面を前記表示部に表示させることを特徴とする請求項９に記載の撮像方法。
【請求項１２】
前記制御ステップは、前記第１の画面に含まれる前記１つの静止画の画像データの前記記録部への記録の要否、及び、前記第２の画面に含まれる前記１つ以上の静止画の画像データの前記記録部への記録の要否がいずれも選択されないまま一定時間が経過した場合に、前記優先度設定ステップにより設定された前記優先度に基づき、１番目及び２番目の優先度に設定された２つの画像データを前記記録部に記録及び保存させることを特徴とする請求項９に記載の撮像方法。
【請求項１３】
前記制御ステップは、前記第１の画面に含まれる前記１つの静止画の画像データの前記記録部への記録の要否が選択されない状態において、前記被写体の撮影に係る操作が行われた場合に、前記１つの静止画の画像データを前記記録部に記録及び保存させた後で、前記撮像ステップによる撮影動作を行わせることを特徴とする請求項９に記載の撮像方法。
【請求項１４】
前記優先度設定ステップは、前記被写体の撮影に係る操作が行われた直後に取得された画像データの優先度を、１番目の優先度として設定することを特徴とする請求項９に記載の撮像方法。
【請求項１５】
前記優先度設定ステップは、さらに、前記複数の静止画の画像データが取得された際の時刻である撮影時刻が新しくなるにつれて優先度が高くなるように、前記他の優先度の設定を行うことを特徴とする請求項１４に記載の撮像方法。
【請求項１６】
前記表示制御ステップは、前記被写体の撮影に係る操作が行われた直後に、前記第１の画面を前記表示部に表示させることを特徴とする請求項９に記載の撮像方法。
【発明の詳細な説明】
【技術分野】
【０００１】
本発明は、撮像装置及び撮像方法に関し、特に、被写体を撮像して得た画像データを保存可能な撮像装置及び撮像方法に関するものである。
【背景技術】
【０００２】
カメラ等において、一度の撮影操作で複数の静止画の画像データを取得可能な機能を備えたものが従来知られている。
【０００３】
例えば、特許文献１には、シャッタボタンの半押しに応じて連写撮像処理を開始し、前記連写撮像処理により撮像された画像データをバッファメモリに順次記憶させた後、該バッファメモリに記憶された画像データを、前記連写撮像処理に比べて遅いスピードとして設定されたスロー表示スピードで読み出して表示部の所定の表示領域にスロー表示させ、シャッタボタンの全押し時に前記所定の表示領域にスロー表示されている画像データを記録媒体に記録させる、という構成の撮像装置が開示されている。
【０００４】
【特許文献１】特開２００８−１４７９６６号公報
【発明の概要】
【発明が解決しようとする課題】
【０００５】
しかし、前述の特許文献１の構成によれば、連写撮像処理において、撮影者が意図した構図の画像データ以外の他の画像データを含むようにスロー表示が行われる。そのため、前述の特許文献１の構成におけるスロー表示は、記録媒体に保存させる画像データの選択を撮影者に促すための表示態様としては冗長であると考えられ、特に、適切なシャッタチャンスに撮影操作を行った撮影者に対して違和感を与える原因となっている。
【０００６】
本発明は、前述した事情に鑑みてなされたものであり、被写体を撮影することにより得られる複数の画像データの中から、撮影状況に応じた好適な画像データを保存対象の画像データとして優先的に提示することが可能な撮像装置及び撮像方法を提供することを目的としている。
【課題を解決するための手段】
【０００７】
本発明の一態様の撮像装置は、被写体を撮影することにより画像データを取得する撮像部と、前記撮像部における撮影動作を連続的に行わせることにより複数の静止画の画像データを取得させる制御部と、前記撮像部により取得された画像データを記録及び保存することが可能な記録部と、前記複数の静止画の画像データが取得された際の撮影状況に基づき、前記記録部に保存される画像データとして最も適切であると推定されるものから順番に、前記複数の静止画の画像データ毎に優先度を設定する優先度設定部と、前記優先度設定部により設定された前記優先度に基づき、前記複数の静止画の画像データの中で１番目の優先度に設定された１つの静止画の画像データを含む第１の画面を表示部に表示させた後で、２番目の優先度以降の他の優先度に設定された１つ以上の静止画の画像データを含む第２の画面を前記表示部に表示させる表示制御部と、を有する。
【０００８】
本発明の一態様の撮像方法は、被写体を撮影することにより画像データを取得する撮像ステップと、前記撮像ステップにおける撮影動作を連続的に行わせることにより複数の静止画の画像データを取得させる制御ステップと、前記複数の静止画の画像データが取得された際の撮影状況に基づき、前記撮像ステップにより取得された画像データを記録及び保存することが可能な記録部に保存される画像データとして最も適切であると推定されるものから順番に、前記複数の静止画の画像データ毎に優先度を設定する優先度設定ステップと、前記優先度設定ステップにより設定された前記優先度に基づき、前記複数の静止画の画像データの中で１番目の優先度に設定された１つの静止画の画像データを含む第１の画面を表示部に表示させた後で、２番目の優先度以降の他の優先度に設定された１つ以上の静止画の画像データを含む第２の画面を前記表示部に表示させる表示制御ステップと、を有する。
【発明の効果】
【０００９】
本発明における撮像装置及び撮像方法によれば、被写体を撮影することにより得られる複数の画像データの中から、撮影状況に応じた好適な画像データを保存対象の画像データとして優先的に提示することができる。
【図面の簡単な説明】
【００１０】
【図１】本発明の実施例に係る撮像装置の要部の構成を示すブロック図。
【図２】第１の実施例において撮影モード時に行われる処理等の一例を示すフローチャート。
【図３】図２のフローチャートに続いて行われる処理等の一例を示すフローチャート。
【図４】第１の実施例において表示部に表示される１次候補の確認画面の一例を示す図。
【図５】第１の実施例において表示部に表示される２次候補の確認画面の一例を示す図。
【図６】第１の実施例において表示部に表示される２次候補の確認画面の、図５とは異なる例を示す図。
【図７】図２のフローチャートに続いて行われる処理等の、図３とは異なる例を示すフローチャート。
【図８】第１の実施例において表示部に表示される２次候補の確認画面の、図５及び図６とは異なる例を示す図。
【図９】第１の実施例において表示部に表示される１次候補の確認画面の、図４とは異なる例を示す図。
【図１０】図２のフローチャートに続いて行われる処理等の、図３及び図７とは異なる例を示すフローチャート。
【図１１】図２のフローチャートに続いて行われる処理等の、図３、図７及び図１０とは異なる例を示すフローチャート。
【図１２】第１の実施例において撮影モード時に行われる処理等の、図２とは異なる例を示すフローチャート。
【図１３】図１２のフローチャートに続いて行われる処理等の一例を示すフローチャート。
【図１４】記録媒体に記録された画像データの確認画面の一例を示す図。
【図１５】仮記録された各画像データの中から記録媒体に記録させる画像データを選択するための選択画面の一例を示す図。
【図１６】第２の実施例において撮影モード時に行われる処理等の一例を示すフローチャート。
【図１７】図１６のフローチャートに続いて行われる処理等の一例を示すフローチャート。
【図１８】撮影により得られた２Ｄ画像データ及び３Ｄ画像データに対する優先度の設定に係る処理の一例を示すフローチャート。
【図１９】図１８のフローチャートの説明に用いる説明図。
【図２０】第２の実施例において表示部に表示される１次候補の確認画面の一例を示す図。
【図２１】第２の実施例において表示部に表示される２次候補の確認画面の一例を示す図。
【図２２】パンニングされているか否かを検出可能な撮像装置の構成の一例を示すブロック図。
【図２３】水中に配置されているか否かを検出可能な撮像装置の構成の一例を示すブロック図。
【発明を実施するための形態】
【００１１】
以下、本発明の実施の形態について、図面を参照しつつ説明を行う。
【００１２】
（第１の実施例）
図１から図１５は、本発明の第１の実施例に係るものである。
【００１３】
図１は、本発明の実施例に係る撮像装置の要部の構成を示すブロック図である。
【００１４】
撮像装置１０１は、図１に示すように、撮像部１と、位置情報取得部２ａと、操作部３と、時計４と、仮記録部５と、記録媒体６と、表示部７と、制御部８と、を有して構成されている。
【００１５】
撮像部１は、被写体を撮影することにより、通常の２Ｄ撮影による画像データ、及び、２つのレンズに入射される光学像の視差を利用した３Ｄ撮影による画像データを取得できるように構成されている。具体的には、撮像部１は、２Ｄ撮影及び３Ｄ撮影による画像データのうちの少なくとも一方を一度の撮影で取得できるように、第１の撮像系と第２の撮像系との２つの撮像系を具備するとともに、当該２つの撮像系にそれぞれ対応するレンズ、絞り機構、シャッター機構、焦点調整機構、及び、撮像素子等を有して構成されている。
【００１６】
位置情報取得部２ａは、例えば、ＧＰＳ衛星から受信した電波に基づいて測位を行うことにより得られる測位結果を、撮像装置１０１の現在位置として出力することが可能なＧＰＳモジュールを備えて構成されている。
【００１７】
操作部３は、撮像部１における撮影動作に係る指示を行うことが可能な撮影操作部３ａと、表示部７に表示されるＧＵＩ（Ｇｒａｐｈｉｃａｌ  Ｕｓｅｒ  Ｉｎｔｅｒｆａｃｅ）における入力操作等を行うことが可能なボタン及びスイッチ等を備えた入力操作部３ｂと、を有して構成されている。また、操作部３には、撮像装置１０１の電源のオンオフを切り替える電源ボタン、及び、記録媒体６に保存された画像ファイルの再生表示を行う再生モードのオンオフを切り替える再生ボタン等が設けられている。
【００１８】
撮影操作部３ａは、例えば、ファーストレリーズスイッチとセカンドレリーズスイッチとからなる２段スイッチのレリーズボタンとして構成されている。制御部８は、レリーズボタンの半押しに応じてファーストレリーズスイッチがオンされると、ＡＥ（自動露出）及びＡＦ（自動焦点）に係る動作等を実施させるための制御を撮像部１に対して行う。また、制御部８は、レリーズボタンの全押しに応じてセカンドレリーズスイッチがオンされると、被写体の撮影を実施させるための制御を撮像部１に対して行う。  
なお、入力操作部３ｂのボタン及びスイッチ等は、機械的なものとして構成されていてもよく、または、タッチパネルの画面上に表示されるものとして構成されていてもよい。
【００１９】
時計４は、現在の日付及び時刻を随時取得して出力するように構成されている。
【００２０】
仮記録部５は、例えば、制御部８から出力される画像データを一時的に蓄積しておくことが可能なバッファメモリを備えて構成されている。
【００２１】
記録媒体６は、撮像装置１０１に対して着脱可能なメモリカード等として構成されており、後述の画像処理部８ａにより生成された画像ファイルを記録及び保存することができる。
【００２２】
表示部７は、後述の表示制御部８ｃの制御に応じ、記録媒体６に記録及び保存する画像データの選択及び決定を促すための確認画面に係る画像表示を行うことができるように構成されている。また、表示部７は、後述の表示制御部８ｃの制御に応じ、記録媒体６に保存された画像ファイルの再生表示、及び、撮影する被写体の構図を動画にて確認可能なライブビュー表示等の種々の画像表示を行うことができるように構成されている。さらに、表示部７は、タッチパネル機能を有して構成されており、画面上に表示されるスイッチ群等の操作に応じた指示を行うことができるように構成されている。
【００２３】
制御部８は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等により構成されており、操作部３の操作に応じた指示、及び、表示部７の画面上に表示されるＧＵＩの入力操作に応じた指示に基づき、撮像装置１０１の各部に対する制御等を実施できるように構成されている。また、制御部８は、撮像部１により撮影された画像データに基づき、位相差検出方式等の公知の手法による焦点検出を実施する。さらに、制御部８は、例えば、撮像部１の絞り機構の絞り量、及び、シャッタースピードの少なくともいずれか一方を制御して変化させるような、公知の手法による露出調整を実施する。
【００２４】
一方、制御部８は、画像処理部８ａと、優先度設定部８ｂと、表示制御部８ｃと、を有している。
【００２５】
画像処理部８ａは、撮像部１により取得された画像データに対して種々の画像処理を施すことにより、圧縮された状態で仮記録部５に仮記録される画像データの生成、記録媒体６に保存する画像ファイルの生成、及び、ライブビュー表示用の画像データの生成等を行うことができるように構成されている。また、画像処理部８ａは、記録媒体６に保存された画像ファイルを読み込み、当該読み込んだ画像ファイルに基づいて再生表示用の画像データを生成することができるように構成されている。さらに、画像処理部８ａは、優先度設定部８ｂにより設定された優先度に基づき、圧縮された状態で仮記録部５に仮記録されている画像データを読み込んで表示用の画像データを生成することができるように構成されている。
【００２６】
一方、画像処理部８ａは、撮影操作部３ａにおける撮影操作が行われた直後に取得された画像データに対し、位置情報取得部２ａにより取得された現在位置（撮影位置）と、時計４により取得された現在の日付及び時刻（撮影日時）と、を関連付ける処理を行う。
【００２７】
優先度設定部８ｂは、撮影操作部３ａにおける撮影操作が行われた直後に取得された画像データ、及び、仮記録部５に仮記録された画像データに基づき、記録媒体６に保存される画像データとして最も適切であると推定されるものから順番に優先度を設定する。なお、前述の優先度の設定に係る処理の詳細については、後程述べるものとする。
【００２８】
表示制御部８ｃは、画像処理部８ａの処理結果として得られた表示用の画像データを表示させるための制御を表示部７に対して行う。また、表示制御部８ｃは、表示部７の画面上に表示するスイッチ群、及び、種々の情報の入力を促す入力画面等の、ＧＵＩに関する画像データを生成可能に構成されている。
【００２９】
なお、本実施例の撮像装置１０１の制御部８は、特に言及のない限り、撮影操作部３ａにおける撮影操作が行われてから、画像データを記録媒体６へ記録及び保存する処理が完了するまでの間（または画像データを記録媒体６へ記録せずに削除する処理が完了するまでの間）において、仮記録部５への画像データの蓄積を一時的に停止させるものとする。
【００３０】
ここで、以上に述べたような構成を具備する撮像装置１０１を用いて撮影を行う場合の動作及び処理について、２Ｄ撮影による画像データを取得する場合を例に挙げて説明を行う。
【００３１】
図２は、第１の実施例において撮影モード時に行われる処理等の一例を示すフローチャートである。図３は、図２のフローチャートに続いて行われる処理等の一例を示すフローチャートである。
【００３２】
まず、操作部３の電源ボタンの操作に応じて撮像装置１０１の電源がオンされると、制御部８は、操作部３の再生ボタンがオンされているか否かを検出する（図２のステップＳ１）。
【００３３】
制御部８は、図２のステップＳ１において、操作部３の再生ボタンがオンされていることを検出した場合には、撮像装置１０１の動作モードを再生モードに設定する（図２のステップＳ２）。その後、制御部８は、操作部３の再生ボタンがオンからオフに切り替えられると、再生モードを終了して図２のステップＳ１の処理を再度行う。なお、再生モードにおいて撮像装置１０１により行われる処理等については、公知のものと同様であるため、詳細な説明を省略する。
【００３４】
一方、制御部８の表示制御部８ｃは、図２のステップＳ１において、操作部３の再生ボタンがオフされていることを検出した場合には、撮像装置１０１の動作モードを撮影モードに設定した後、表示部７においてライブビュー表示を行わせるように動作する（図２のステップＳ３）。
【００３５】
制御部８は、図２のステップＳ３によるライブビュー表示を行っている最中に、撮像部１において連続的に撮影動作を行わせるとともに（図２のステップＳ４）、連続的な撮影動作により得られた静止画の画像データに対して種々の画像処理を施すことにより、当該静止画の画像データを圧縮して仮記録部５に順次仮記録させる（図２のステップＳ５）。
【００３６】
その後、制御部８は、レリーズボタンの全押し等に応じた撮影操作が撮影操作部３ａにおいて行われたか否かを判定する（図２のステップＳ６）。そして、制御部８は、撮影操作部３ａにおける撮影操作が行われていない場合には、図２のステップＳ１の処理を再度行う。また、制御部８は、撮影操作部３ａにおける撮影操作が行われたことを検出すると、撮影操作部３ａにおける撮影操作が行われた直後に取得された画像データ、及び、仮記録部５に仮記録された各画像データに基づき、記録媒体６に保存される画像データとして最も適切であると推定されるものから順番に優先度を設定する（図２のステップＳ７）。
【００３７】
具体的には、制御部８の優先度設定部８ｂは、撮影者が意図したタイミングにおいて撮影操作が行われたものと推定し、撮影操作部３ａにおける撮影操作が行われた直後に取得された画像データの優先度を最も高い優先度（１番目の優先度）に設定する。また、制御部８の優先度設定部８ｂは、仮記録部５に仮記録された各画像データに対し、撮影時刻が新しくなるにつれて優先度が高くなるように（２番目以降の）優先度を設定する。
【００３８】
制御部８の表示制御部８ｃは、図２のステップＳ７において設定された優先度に基づき、最も高い優先度（１番目の優先度）に設定された画像データを記録媒体６へ記録及び保存させるように促すための１次候補の確認画面を表示部７に表示させる（図２のステップＳ８）。
【００３９】
図４は、第１の実施例において表示部に表示される１次候補の確認画面の一例を示す図である。
【００４０】
具体的には、制御部８の表示制御部８ｃは、例えば図４に示すように、撮影操作部３ａにおける撮影操作が行われた直後に取得された１番目の優先度の画像データと、「記録しますか？」の文字列を備えたメッセージ文と、記録媒体６への記録の要否を選択可能とするための「Ｙｅｓ」及び「Ｎｏ」（または「はい」及び「いいえ」）の文字列を含むＧＵＩと、を備えた１次候補の確認画面を表示部７に表示させる。
【００４１】
制御部８は、図２のステップＳ８の１次候補の確認画面において表示されている画像データを記録媒体６へ記録させる旨の選択がなされたか否かを判定する（図２のステップＳ９）。そして、制御部８は、（例えば「Ｙｅｓ」または「はい」が選択されることにより、）図２のステップＳ８の１次候補の確認画面において表示されている画像データを記録媒体６へ記録させる旨の選択がなされたことを検出すると、当該画像データに応じた画像ファイルを生成して記録媒体６へ記録及び保存させ（図２のステップＳ１０）、仮記録部５に仮記録された画像データを全て削除した（図２のステップＳ１１）後、図２のステップＳ１の処理を再度行う。
【００４２】
また、制御部８は、図２のステップＳ８の１次候補の確認画面において表示されている画像データを記録媒体６へ記録させる旨の選択がなされなかった場合に、さらに、当該１次候補の確認画面において表示されている画像データを記録媒体６へ記録させない旨の選択がなされたか否かを判定する（図３のステップＳ１２）。制御部８の表示制御部８ｃは、（例えば「Ｎｏ」または「いいえ」が選択されることにより、）図２のステップＳ８の１次候補の確認画面において表示されている画像データを記録媒体６へ記録させない旨の選択がなされたことを検出すると、図２のステップＳ７において設定された優先度に基づき、２番目以降の優先度に設定されたいずれか１つの画像データを記録媒体６へ記録及び保存させるように促すための確認画面としての２次候補の確認画面を表示部７に表示させる（図３のステップＳ１３）。
【００４３】
図５は、第１の実施例において表示部に表示される２次候補の確認画面の一例を示す図である。
【００４４】
具体的には、制御部８の表示制御部８ｃは、例えば図５に示すように、仮記録部５に仮記録された画像データの中で撮影時刻がＮ番目（Ｎ≧１）に新しい（Ｎ＋１）番目の優先度の画像データと、「記録しますか？」の文字列を備えたメッセージ文と、記録媒体６への記録の要否を選択可能とするための「Ｙｅｓ」及び「Ｎｏ」（または「はい」及び「いいえ」）の文字列を含むＧＵＩと、を備えた２次候補の確認画面を表示部７に表示させる。
【００４５】
制御部８は、図３のステップＳ１３の２次候補の確認画面において表示されている画像データを記録媒体６へ記録させる旨の選択がなされたか否かを判定する（図３のステップＳ１４）。そして、制御部８は、（例えば「Ｙｅｓ」または「はい」が選択されることにより、）図３のステップＳ１３の２次候補の確認画面において表示されている画像データを記録媒体６へ記録させる旨の選択がなされたことを検出すると、当該画像データに応じた画像ファイルを生成して記録媒体６へ記録及び保存させ（図２のステップＳ１０）、撮影操作部３ａにおける撮影操作が行われた直後に取得された画像データを破棄し、仮記録部５に仮記録された画像データを全て削除した（図２のステップＳ１１）後、図２のステップＳ１の処理を再度行う。
【００４６】
また、制御部８は、（例えば「Ｎｏ」または「いいえ」が選択されることにより、）図３のステップＳ１３の２次候補の確認画面において表示されている画像データを記録媒体６へ記録させない旨の選択がなされた場合に、さらに、仮記録部５に仮記録されている画像データを参照することにより、次の優先度の画像データが存在するか否かを判定する（図３のステップＳ１４）。
【００４７】
制御部８の表示制御部８ｃは、図３のステップＳ１４において、次の優先度の画像データが仮記録部５に存在することを検出すると、当該次の優先度の画像データを図３のステップＳ１３の２次候補の確認画面に表示させる。
【００４８】
図６は、第１の実施例において表示部に表示される２次候補の確認画面の、図５とは異なる例を示す図である。
【００４９】
具体的には、制御部８の表示制御部８ｃは、例えば図６に示すように、仮記録部５に仮記録された画像データの中で撮影時刻が（Ｎ＋１）番目に新しい（Ｎ＋２）番目の優先度の画像データと、「記録しますか？」の文字列を備えたメッセージ文と、記録媒体６への記録の要否を選択可能とするための「Ｙｅｓ」及び「Ｎｏ」（または「はい」及び「いいえ」）の文字列を含むＧＵＩと、を備えた２次候補の確認画面を表示部７に表示させる。
【００５０】
すなわち、図３のステップＳ１３からステップＳ１５までの処理が繰り返し行われることにより、図３のステップＳ１３の２次候補の確認画面に表示される画像データが、図２のステップＳ７において設定された優先度の順番に応じて切り替わる。
【００５１】
また、制御部８の表示制御部８ｃは、図３のステップＳ１４において、次の優先度の画像データが仮記録部５に存在しないことを検出すると、図２のステップＳ８に戻り、最も高い優先度（１番目の優先度）に設定された画像データを記録媒体６へ記録及び保存させるように促すための１次候補の確認画面を表示部７に再度表示させる。
【００５２】
一方、制御部８の表示制御部８ｃは、図２のステップＳ８の１次候補の確認画面において表示されている画像データの記録媒体６への記録の要否が選択されない状態であっても、所定の時間（例えば５秒）が経過するまでは、当該１次候補の確認画面を表示部７に表示させ続ける（図３のステップＳ１６）。その後、制御部８は、図２のステップＳ８の１次候補の確認画面において表示されている画像データの記録媒体６への記録の要否が選択されないまま、前述の所定の時間が経過したことを検出すると（図３のステップＳ１６）、図２のステップＳ７において設定された優先度に基づき、１番目及び２番目の優先度の画像データに応じた２つの画像ファイルを生成して記録媒体６へ記録及び保存させ（図３のステップＳ１７）、仮記録部５に仮記録された画像データを全て削除した（図２のステップＳ１１）後、図２のステップＳ１の処理を再度行う。
【００５３】
なお、表示部７に表示される２次候補の確認画面の表示態様は、図５及び図６に例示したような、優先度の順番に応じて画像データを１つずつ切り替えながら表示してゆくものに限らず、複数の画像データを一度に表示するようなものであってもよい。
【００５４】
ここで、２次候補の確認画面において複数の画像データが一度に表示される場合の処理等について説明を行う。なお、図７のフローチャートに示す各処理は、図３のフローチャートに示す各処理の代わりに実施可能な処理であって、図２のフローチャートに示す各処理に引き続いて行われる処理であるとする。
【００５５】
図７は、図２のフローチャートに続いて行われる処理等の、図３とは異なる例を示すフローチャートである。
【００５６】
制御部８は、図２のステップＳ８の１次候補の確認画面において表示されている画像データを記録媒体６へ記録させる旨の選択がなされなかった場合に、さらに、当該１次候補の確認画面において表示されている画像データを記録媒体６へ記録させない旨の選択がなされたか否かを判定する（図７のステップＳ２１）。制御部８の表示制御部８ｃは、（例えば「Ｎｏ」または「いいえ」が選択されることにより、）図２のステップＳ８の１次候補の確認画面において表示されている画像データを記録媒体６へ記録させない旨の選択がなされたことを検出すると、図２のステップＳ７において設定された優先度に基づき、１番目及び２番目以降の優先度に設定されたいずれか１つの画像データを記録媒体６へ記録及び保存させるように促すための確認画面としての２次候補の確認画面を表示部７に表示させる（図７のステップＳ２２）。
【００５７】
図８は、第１の実施例において表示部に表示される２次候補の確認画面の、図５及び図６とは異なる例を示す図である。
【００５８】
具体的には、制御部８の表示制御部８ｃは、例えば図８に示すように、１番目〜４番目の優先度に設定された４つの画像データのサムネイルと、「選んで下さい」の文字列を備えたメッセージ文と、記録媒体６への記録を行わずに画像データを削除可能とするための「全削除」の文字列を含むＧＵＩと、を備えた２次候補の確認画面を表示部７に表示させる。
【００５９】
制御部８は、図７のステップＳ２２の２次候補の確認画面において表示されている４つの画像データのうちのいずれか１つが選択されたか否かを判定する（図７のステップＳ２３）。そして、制御部８は、図７のステップＳ２２の２次候補の確認画面において表示されている４つの画像データのうちのいずれか１つが選択されたことを検出すると、当該１つの画像データに応じた画像ファイルを生成して記録媒体６へ記録及び保存させ（図２のステップＳ１０）、撮影操作部３ａにおける撮影操作が行われた直後に取得された画像データを破棄し、仮記録部５に仮記録された画像データを全て削除した（図２のステップＳ１１）後、図２のステップＳ１の処理を再度行う。
【００６０】
また、制御部８は、図７のステップＳ２２の２次候補の確認画面において表示されている４つの画像データのうちのいずれか１つが選択されない場合に、さらに、当該２次候補の確認画面において表示されている画像データを記録媒体６へ記録させずに削除する旨の選択がなされたか否かを判定する（図７のステップＳ２４）。制御部８は、（例えば「全削除」が選択されることにより、）図７のステップＳ２２の２次候補の確認画面において表示されている画像データを記録媒体６へ記録させずに削除する旨の選択がなされたことを検出すると、撮影操作部３ａにおける撮影操作が行われた直後に取得された画像データを破棄し、仮記録部５に仮記録された画像データを全て削除した（図２のステップＳ１１）後、図２のステップＳ１の処理を再度行う。
【００６１】
一方、制御部８の表示制御部８ｃは、図７のステップＳ２２の２次候補の確認画面において表示されている４つの画像データのうちのいずれか１つが選択されず、かつ、当該２次候補の確認画面において表示されている画像データを記録媒体６へ記録させずに削除する旨の選択がなされない状態であっても、所定の時間（例えば５秒）が経過するまでは、当該２次候補の確認画面を表示部７に表示させ続ける（図７のステップＳ２５）。その後、制御部８は、図７のステップＳ２２の２次候補の確認画面において表示されている４つの画像データのうちのいずれか１つが選択されず、かつ、当該２次候補の確認画面において表示されている画像データを記録媒体６へ記録させずに削除する旨の選択がなされないまま、前述の所定の時間が経過したことを検出すると（図７のステップＳ２５）、図２のステップＳ７において設定された優先度に基づき、１番目及び２番目の優先度の画像データに応じた２つの画像ファイルを生成して記録媒体６へ記録及び保存させ（図７のステップＳ２７）、仮記録部５に仮記録された画像データを全て削除した（図２のステップＳ１１）後、図２のステップＳ１の処理を再度行う。
【００６２】
さらに、制御部８の表示制御部８ｃは、図２のステップＳ８の１次候補の確認画面において表示されている画像データの記録媒体６への記録の要否が選択されない状態であっても、所定の時間（例えば５秒）が経過するまでは、当該１次候補の確認画面を表示部７に表示させ続ける（図７のステップＳ２６）。その後、制御部８は、図２のステップＳ８の１次候補の確認画面において表示されている画像データの記録媒体６への記録の要否が選択されないまま、前述の所定の時間が経過したことを検出すると（図７のステップＳ２６）、図２のステップＳ７において設定された優先度に基づき、１番目及び２番目の優先度の画像データに応じた２つの画像ファイルを生成して記録媒体６へ記録及び保存させ（図７のステップＳ２７）、仮記録部５に仮記録された画像データを全て削除した（図２のステップＳ１１）後、図２のステップＳ１の処理を再度行う。
【００６３】
一方、本実施例によれば、１次候補の確認画面において表示されている画像データを記録媒体６へ記録させない旨の選択がなされた際に、１次候補の確認画面から２次候補の確認画面への切り替えが行われるように構成したものに限らず、１次候補の確認画面が表示部７に表示されてから所定の時間（例えば５秒）が経過した時点で２次候補の確認画面への切り替えが行われるように構成してもよい。
【００６４】
図９は、第１の実施例において表示部に表示される１次候補の確認画面の、図４とは異なる例を示す図である。
【００６５】
具体的には、例えば図９に示すような、撮影操作部３ａにおける撮影操作が行われた直後に取得された１番目の優先度の画像データと、「記録しますか？」の文字列を備えたメッセージ文と、記録媒体６へ記録させる旨の選択を行うための「Ｙｅｓ」（または「はい」）の文字列を含むＧＵＩと、を備えた１次候補の確認画面が表示部７に表示されてから所定の時間（例えば５秒）が経過した時点で２次候補の確認画面への切り替えが行われるように構成してもよい。
【００６６】
ここで、１次候補の確認画面が表示部７に表示されてから所定の時間（例えば５秒）が経過した時点で２次候補の確認画面への切り替えが行われる場合の処理等について説明を行う。なお、図１０のフローチャートに示す各処理は、図３及び図７のフローチャートに示す各処理の代わりに実施可能な処理であって、図２のフローチャートに示す各処理に引き続いて行われる処理であるとする。また、以降の説明においては、図１０のフローチャートに示す各処理を行う前に、図２のステップＳ８により、図９に示す１次候補の確認画面が表示部７に表示されているものとする。
【００６７】
図１０は、図２のフローチャートに続いて行われる処理等の、図３及び図７とは異なる例を示すフローチャートである。
【００６８】
制御部８は、図２のステップＳ８の１次候補の確認画面において表示されている画像データを記録媒体６へ記録させる旨の選択がなされないまま所定の時間（例えば５秒）が経過したことを検出すると（図１０のステップＳ３１）、さらに、１次候補及び２次候補の確認画面の繰り返し表示回数が所定の回数（例えば５回）以上に達したか否かを判定する（図１０のステップＳ３２）。
【００６９】
制御部８の表示制御部８ｃは、１次候補及び２次候補の確認画面の繰り返し表示回数が所定の回数未満であることを検出すると、図２のステップＳ７において設定された優先度に基づき、２番目以降の優先度に設定されたいずれか１つの画像データを記録媒体６へ記録及び保存させるように促すための確認画面としての２次候補の確認画面を表示部７に表示させる（図１０のステップＳ３３）。
【００７０】
制御部８は、図１０のステップＳ３３の２次候補の確認画面において表示されている画像データを記録媒体６へ記録させる旨の選択がなされたか否かを判定する（図１０のステップＳ３４）。そして、制御部８は、（例えば「Ｙｅｓ」または「はい」が選択されることにより、）図１０のステップＳ３３の２次候補の確認画面において表示されている画像データを記録媒体６へ記録させる旨の選択がなされたことを検出すると、当該画像データに応じた画像ファイルを生成して記録媒体６へ記録及び保存させ（図２のステップＳ１０）、撮影操作部３ａにおける撮影操作が行われた直後に取得された画像データを破棄し、仮記録部５に仮記録された画像データを全て削除した（図２のステップＳ１１）後、図２のステップＳ１の処理を再度行う。
【００７１】
また、制御部８は、図１０のステップＳ３３の２次候補の確認画面において表示されている画像データを記録媒体６へ記録させる旨の選択がなされないまま所定の時間（例えば５秒）が経過したことを検出すると（図１０のステップＳ３５）、さらに、仮記録部５に仮記録されている画像データを参照することにより、次の優先度の画像データが存在するか否かを判定する（図１０のステップＳ３６）。
【００７２】
制御部８の表示制御部８ｃは、図１０のステップＳ３６において、次の優先度の画像データが仮記録部５に存在することを検出すると、当該次の優先度の画像データを図１０のステップＳ３３の２次候補の確認画面に表示させる。
【００７３】
また、制御部８の表示制御部８ｃは、図１０のステップＳ３６において、次の優先度の画像データが仮記録部５に存在しないことを検出すると、図２のステップＳ８に戻り、最も高い優先度（１番目の優先度）に設定された画像データを記録媒体６へ記録及び保存させるように促すための１次候補の確認画面を表示部７に再度表示させるとともに、１次候補及び２次候補の確認画面の繰り返し表示回数に１を加えた値を保持する。
【００７４】
その後、制御部８は、図１０のステップＳ３２において、１次候補及び２次候補の確認画面の繰り返し表示回数が所定の回数以上に達したことを検出すると、図２のステップＳ７において設定された優先度に基づき、１番目及び２番目の優先度の画像データに応じた２つの画像ファイルを生成して記録媒体６へ記録及び保存させ（図１０のステップＳ３７）、仮記録部５に仮記録された画像データを全て削除した（図２のステップＳ１１）後、図２のステップＳ１の処理を再度行う。
【００７５】
ところで、図１０のフローチャートに示す各処理によれば、１次候補または２次候補の確認画面が表示部７に表示されている最中に、撮影操作部３ａにおける撮影操作が行われた場合を想定した処理も含まれている。
【００７６】
具体的には、制御部８は、図２のステップＳ８の１次候補の確認画面が表示される所定の時間（例えば５秒）が経過する前に撮影操作部３ａにおける撮影操作が行われたことを検出すると（図１０のステップＳ３１及びステップＳ３８）、当該１次候補の確認画面に表示されている（１番目の優先度の）画像データを記録媒体６に記録及び保存させた（図１０のステップＳ４０）後に、撮像部１による撮影動作を行わせ、当該撮影動作により得られた画像データを１番目の優先度に設定し直して１次候補の確認画面を表示部７に表示させる（図２のステップＳ７及びステップＳ８）。
【００７７】
また、制御部８は、図１０のステップＳ３３の２次候補の確認画面が表示される所定の時間（例えば５秒）が経過する前に撮影操作部３ａにおける撮影操作が行われたことを検出すると（図１０のステップＳ３５及びステップＳ３９）、当該２次候補の確認画面に表示されている画像データを記録媒体６に記録及び保存させた（図１０のステップＳ４０）後に、撮像部１による撮影動作を行わせ、当該撮影動作により得られた画像データを１番目の優先度に設定し直して１次候補の確認画面を表示部７に表示させる（図２のステップＳ７及びステップＳ８）。
【００７８】
なお、本実施例によれば、図９に示す１次候補の確認画面が表示部７に表示されてから所定の時間（例えば５秒）が経過した時点で、図８に示す２次候補の確認画面への切り替えが行われるように構成してもよい。
【００７９】
ここで、図９に示す１次候補の確認画面が表示部７に表示されてから所定の時間が経過した時点で、図８に示す２次候補の確認画面への切り替えが行われる場合の処理等について説明を行う。なお、図１１のフローチャートに示す各処理は、図３、図７及び図１０のフローチャートに示す各処理の代わりに実施可能な処理であって、図２のフローチャートに示す各処理に引き続いて行われる処理であるとする。また、以降の説明においては、図１１のフローチャートに示す各処理を行う前に、図２のステップＳ８により、図９に示す１次候補の確認画面が表示部７に表示されているものとする。
【００８０】
図１１は、図２のフローチャートに続いて行われる処理等の、図３、図７及び図１０とは異なる例を示すフローチャートである。
【００８１】
制御部８の表示制御部８ｃは、図２のステップＳ８の１次候補の確認画面において表示されている画像データを記録媒体６へ記録させる旨の選択がなされないまま所定の時間（例えば５秒）が経過したことを検出すると（図１１のステップＳ５１）、図２のステップＳ７において設定された優先度に基づき、図８に示す２次候補の確認画面を表示部７に表示させる（図１１のステップＳ５２）。
【００８２】
その後、制御部８は、図１１のステップＳ５２の２次候補の確認画面において表示されている４つの画像データのうちのいずれか１つが選択されたか否かを判定する（図１１のステップＳ５３）。そして、制御部８は、図１１のステップＳ５２の２次候補の確認画面において表示されている４つの画像データのうちのいずれか１つが選択されたことを検出すると、当該１つの画像データに応じた画像ファイルを生成して記録媒体６へ記録及び保存させ（図２のステップＳ１０）、撮影操作部３ａにおける撮影操作が行われた直後に取得された画像データを破棄し、仮記録部５に仮記録された画像データを全て削除した（図２のステップＳ１１）後、図２のステップＳ１の処理を再度行う。
【００８３】
また、制御部８は、図１１のステップＳ５２の２次候補の確認画面において表示されている４つの画像データのうちのいずれか１つが選択されない場合に、さらに、当該２次候補の確認画面において表示されている画像データを記録媒体６へ記録させずに削除する旨の選択がなされたか否かを判定する（図１１のステップＳ５４）。制御部８は、（例えば「全削除」が選択されることにより、）図１１のステップＳ５２の２次候補の確認画面において表示されている画像データを記録媒体６へ記録させずに削除する旨の選択がなされたことを検出すると、撮影操作部３ａにおける撮影操作が行われた直後に取得された画像データを破棄し、仮記録部５に仮記録された画像データを全て削除した（図２のステップＳ１１）後、図２のステップＳ１の処理を再度行う。
【００８４】
一方、制御部８の表示制御部８ｃは、図１１のステップＳ５２の２次候補の確認画面において表示されている４つの画像データのうちのいずれか１つが選択されず、かつ、当該２次候補の確認画面において表示されている画像データを記録媒体６へ記録させずに削除する旨の選択がなされない状態であっても、所定の時間（例えば５秒）が経過するまでは、当該２次候補の確認画面を表示部７に表示させ続ける（図１１のステップＳ５５）。その後、制御部８は、図１１のステップＳ５２の２次候補の確認画面において表示されている４つの画像データのうちのいずれか１つが選択されず、かつ、当該２次候補の確認画面において表示されている画像データを記録媒体６へ記録させずに削除する旨の選択がなされないまま、前述の所定の時間が経過したことを検出すると（図１１のステップＳ５５）、図２のステップＳ７において設定された優先度に基づき、１番目及び２番目の優先度の画像データに応じた２つの画像ファイルを生成して記録媒体６へ記録及び保存させ（図１１のステップＳ５６）、仮記録部５に仮記録された画像データを全て削除した（図２のステップＳ１１）後、図２のステップＳ１の処理を再度行う。
【００８５】
ところで、図１１のフローチャートに示す各処理によれば、１次候補の確認画面が表示部７に表示されている最中に、撮影操作部３ａにおける撮影操作が行われた場合を想定した処理も含まれている。
【００８６】
具体的には、制御部８は、図２のステップＳ８の１次候補の確認画面が表示される所定の時間（例えば５秒）が経過する前に撮影操作部３ａにおける撮影操作が行われたことを検出すると（図１１のステップＳ５１及びステップＳ５７）、当該１次候補の確認画面に表示されている（１番目の優先度の）画像データを記録媒体６に記録及び保存させた（図１１のステップＳ５８）後に、撮像部１による撮影動作を行わせ、当該撮影動作により得られた画像データを１番目の優先度に設定し直して１次候補の確認画面を表示部７に表示させる（図２のステップＳ７及びステップＳ８）。
【００８７】
また、本実施例によれば、撮影操作部３ａにおける撮影操作が行われた直後に取得された画像データを記録媒体６に記録及び保存させ、さらに、仮記録部５に仮記録された画像データの中から記録媒体６に記録及び保存させる画像データを選択できるように構成してもよい。
【００８８】
図１２は、第１の実施例において撮影モード時に行われる処理等の、図２とは異なる例を示すフローチャートである。図１３は、図１２のフローチャートに続いて行われる処理等の一例を示すフローチャートである。
【００８９】
まず、操作部３の電源ボタンの操作に応じて撮像装置１０１の電源がオンされると、制御部８は、操作部３の再生ボタンがオンされているか否かを検出する（図１２のステップＳ７１）。
【００９０】
制御部８は、図１２のステップＳ７１において、操作部３の再生ボタンがオンされていることを検出した場合には、撮像装置１０１の動作モードを再生モードに設定する（図１２のステップＳ７２）。その後、制御部８は、操作部３の再生ボタンがオンからオフに切り替えられると、再生モードを終了して図１２のステップＳ７１の処理を再度行う。なお、再生モードにおいて撮像装置１０１により行われる処理等については、公知のものと同様であるため、詳細な説明を省略する。
【００９１】
一方、制御部８の表示制御部８ｃは、図１２のステップＳ７１において、操作部３の再生ボタンがオフされていることを検出した場合には、撮像装置１０１の動作モードを撮影モードに設定した後、表示部７においてライブビュー表示を行わせるように動作する（図１２のステップＳ７３）。
【００９２】
制御部８は、図１２のステップＳ７３によるライブビュー表示を行っている最中に、撮像部１において連続的に撮影動作を行わせるとともに（図１２のステップＳ７４）、連続的な撮影動作により得られた静止画の画像データに対して種々の画像処理を施すことにより、当該静止画の画像データを圧縮して仮記録部５に順次仮記録させる（図１２のステップＳ７５）。
【００９３】
その後、制御部８は、レリーズボタンの全押し等に応じた撮影操作が撮影操作部３ａにおいて行われたか否かを判定する（図１２のステップＳ７６）。そして、制御部８は、撮影操作部３ａにおける撮影操作が行われていない場合には、図１２のステップＳ７１の処理を再度行う。また、制御部８は、撮影操作部３ａにおける撮影操作が行われたことを検出すると、当該撮影操作が行われた直後から数フレーム分（１〜２フレーム分）後まで撮像部１による撮影動作を継続させ、当該数フレーム分の静止画の画像データをそれぞれ圧縮して仮記録部５に仮記録させる（図１２のステップＳ７７）。
【００９４】
さらに、制御部８は、図１２のステップＳ７７の処理を行うとともに、撮影操作部３ａにおける撮影操作が行われた直後に取得された画像データを記録媒体６に記録及び保存させ（図１２のステップＳ７８）、撮影操作部３ａにおける撮影操作が行われた直後に取得された画像データ、及び、仮記録部５に仮記録された各画像データに対する優先度の設定を行う（図１２のステップＳ７９）。
【００９５】
具体的には、制御部８の優先度設定部８ｂは、撮影者が意図したタイミングにおいて撮影操作が行われたものと推定し、撮影操作部３ａにおける撮影操作が行われた直後に取得された画像データの優先度を最も高い優先度（１番目の優先度）に設定する。また、制御部８の優先度設定部８ｂは、仮記録部５に仮記録された各画像データに対し、撮影時刻が新しくなるにつれて優先度が高くなるように（２番目以降の）優先度を設定する。
【００９６】
一方、制御部８の表示制御部８ｃは、図１２のステップＳ７８において記録媒体６に記録及び保存された画像データ（最も高い優先度（１番目の優先度）に設定された画像データ）の確認画面を表示部７に表示させる（図１２のステップＳ８０）。
【００９７】
図１４は、記録媒体に記録された画像データの確認画面の一例を示す図である。
【００９８】
具体的には、制御部８の表示制御部８ｃは、例えば図１４に示すように、図１２のステップＳ７８において記録媒体６に記録及び保存された（１番目の優先度の）画像データと、撮影支援を実施する旨の選択を行うための「Ｈｅｌｐ」の文字列を含むＧＵＩと、を備えた確認画面を表示部７に表示させる。
【００９９】
制御部８は、図１２のステップＳ８０の確認画面において、撮影支援を実施する旨の選択がなされたか否かを判定する（図１２のステップＳ８１）。そして、制御部８は、図１２のステップＳ８０の確認画面において、撮影支援を実施する旨の選択がなされなかった場合に、さらに、図１２のステップＳ８０の確認画面の表示を解除するための操作がなされたか否かを判定する（図１２のステップＳ８２）。
【０１００】
制御部８は、（例えば撮影操作部３ａのレリーズボタンの全押し等により、）図１２のステップＳ８０の確認画面の表示を解除するための操作がなされたことを検出すると、仮記録部５に仮記録された画像データを全て削除した（図１２のステップＳ８４）後、図１２のステップＳ７１の処理を再度行う。
【０１０１】
また、制御部８の表示制御部８ｃは、図１２のステップＳ８０の確認画面において撮影支援を実施する旨の選択がなされず、かつ、図１２のステップＳ８０の確認画面の表示を解除するための操作がなされない状態であっても、所定の時間（例えば５秒）が経過するまでは、当該確認画面を表示部７に表示させ続ける（図１２のステップＳ８３）。その後、制御部８は、図１２のステップＳ８０の確認画面において撮影支援を実施する旨の選択がなされず、かつ、図１２のステップＳ８０の確認画面の表示を解除するための操作がなされないまま、前述の所定の時間が経過したことを検出すると（図１２のステップＳ８３）、仮記録部５に仮記録された画像データを全て削除した（図１２のステップＳ８４）後、図１２のステップＳ７１の処理を再度行う。
【０１０２】
一方、制御部８の表示制御部８ｃは、図１２のステップＳ８０の確認画面において、（例えば「Ｈｅｌｐ」が選択されることにより、）撮影支援を実施する旨の選択がなされたことを検出すると、図１２のステップＳ７９において設定された優先度に基づき、仮記録部５に仮記録された各画像データの中から記録媒体６に記録及び保存させる画像データを選択可能な選択画面を表示部７に表示させる（図１３のステップＳ９１）。
【０１０３】
図１５は、仮記録された各画像データの中から記録媒体に記録させる画像データを選択するための選択画面の一例を示す図である。
【０１０４】
具体的には、制御部８の表示制御部８ｃは、例えば図１５に示すように、図１２のステップＳ７９において設定された優先度の高い順に上から並べられた４つの画像データのサムネイルと、画面を上方向または下方向にスクロールさせることによりサムネイル表示される４つの画像データを切り替え可能なＧＵＩとして構成されたスクロールボタンと、スクロールボタンの操作に応じた画面のスクロール状態を示すスクロールバーと、画面表示を解除可能なＧＵＩとして構成された表示解除ボタンと、を１つの画面内に配置した選択画面を表示部７に表示させる。
【０１０５】
なお、図１５に例示した選択画面によれば、図１２のステップＳ７８により既に記録媒体６に記録及び保存されている（１番目の優先度の）画像データのサムネイルが最上位の画面内に含まれるように表示されるものであってもよい。
【０１０６】
制御部８は、（例えば入力操作部３ｂの操作により、）図１３のステップＳ９１の選択画面に表示されている画像データのうちのいずれかが選択されたか否かを判定する（図１３のステップＳ９２）。そして、制御部８は、図１３のステップＳ９１の選択画面に表示されている画像データのうちのいずれかが選択される毎に、当該選択した画像データに応じた画像ファイルを生成して記録媒体６へ記録及び保存させる（図１３のステップＳ９３）。
【０１０７】
一方、制御部８は、（例えば、撮影操作部３ａのレリーズボタンが全押しされたこと、または、図１５に例示した選択画面の表示解除ボタンがオンされたこと等により、）図１３のステップＳ９１の選択画面の表示を解除するための操作がなされたことを検出すると（図１３のステップＳ９４）、仮記録部５に仮記録された画像データを全て削除した（図１２のステップＳ８４）後、図１２のステップＳ７１の処理を再度行う。
【０１０８】
また、制御部８の表示制御部８ｃは、図１３のステップＳ９１の選択画面の表示を解除するための操作がなされない状態であっても、所定の時間（例えば数十秒）が経過するまでは、当該選択画面を表示部７に表示させ続ける（図１３のステップＳ９５）。その後、制御部８は、図１３のステップＳ９１の選択画面の表示を解除するための操作がなされないまま、前述の所定の時間が経過したことを検出すると（図１３のステップＳ９５）、仮記録部５に仮記録された画像データを全て削除した（図１２のステップＳ８４）後、図１２のステップＳ７１の処理を再度行う。
【０１０９】
以上に述べたように、本実施例によれば、被写体を撮影することにより得られる複数の画像データの中から、撮影状況に応じた好適な画像データを保存対象の画像データとして優先的に提示することができる。
【０１１０】
また、以上に述べたように、本実施例によれば、撮影操作が行われるまでに得られた静止画の画像データを順次蓄積しておくことができるため、例えば、実際に撮影操作を行ったにも係わらず、意図した構図の静止画の画像データを得られなかった、というような状況を極力発生させないようにすることができる。
【０１１１】
（第２の実施例）
図１６から図２２は、本発明の第２の実施例に係るものである。
【０１１２】
なお、本実施例は、第１の実施例の図１の説明において既述の撮像装置１０１と同様の構成を適用可能であるとともに、主に制御部８の動作及び処理等が第１の実施例とは異なっている。そのため、本実施例においては、第１の実施例と同様の部分に関する詳細な説明を省略するとともに、第１の実施例と異なる部分に関して主に説明を行う。
【０１１３】
ここで、第１の実施例において述べた構成を具備する撮像装置１０１を用いて撮影を行う場合の動作及び処理について、２Ｄ撮影による画像データ（２Ｄ画像データ）、及び、３Ｄ撮影による画像データ（３Ｄ画像データ）を一度の撮影操作で取得する場合を例に挙げて説明を行う。
【０１１４】
図１６は、第２の実施例において撮影モード時に行われる処理等の一例を示すフローチャートである。図１７は、図１６のフローチャートに続いて行われる処理等の一例を示すフローチャートである。
【０１１５】
まず、操作部３の電源ボタンの操作に応じて撮像装置１０１の電源がオンされると、制御部８は、操作部３の再生ボタンがオンされているか否かを検出する（図１６のステップＳ１０１）。
【０１１６】
制御部８は、図１６のステップＳ１０１において、操作部３の再生ボタンがオンされていることを検出した場合には、撮像装置１０１の動作モードを再生モードに設定する（図１６のステップＳ１０２）。その後、制御部８は、操作部３の再生ボタンがオンからオフに切り替えられると、再生モードを終了して図１６のステップＳ１０１の処理を再度行う。なお、再生モードにおいて撮像装置１０１により行われる処理等については、公知のものと同様であるため、詳細な説明を省略する。
【０１１７】
一方、制御部８の表示制御部８ｃは、図１６のステップＳ１０１において、操作部３の再生ボタンがオフされていることを検出した場合には、撮像装置１０１の動作モードを撮影モードに設定した後、表示部７においてライブビュー表示を行わせるように動作する（図１６のステップＳ１０３）。
【０１１８】
その後、制御部８は、レリーズボタンの全押し等に応じた撮影操作が撮影操作部３ａにおいて行われたか否かを判定する（図１６のステップＳ１０４）。そして、制御部８は、撮影操作部３ａにおける撮影操作が行われていない場合には、図１６のステップＳ１０１の処理を再度行う。また、制御部８は、撮影操作部３ａにおける撮影操作が行われたことを検出すると、撮像部１において連続的に撮影動作を行わせることにより、２Ｄ画像データ及び３Ｄ画像データを取得した（図１６のステップＳ１０５）後、当該取得した２Ｄ画像データ及び３Ｄ画像データに対する優先度の設定を行う（図１６のステップＳ１０６）。
【０１１９】
ここで、図１６のステップＳ１０５の撮影動作により取得した２Ｄ画像データ及び３Ｄ画像データに対する優先度の設定に係る処理である、図１６のステップＳ１０６の処理の具体例について説明を行う。図１８は、撮影により得られた２Ｄ画像データ及び３Ｄ画像データに対する優先度の設定に係る処理の一例を示すフローチャートである。図１９は、図１８のフローチャートの説明に用いる説明図である。
【０１２０】
制御部８は、図１６のステップＳ１０５の撮影動作により取得された２Ｄ画像データに基づき、当該２Ｄ画像データ内の複数の位置として予め設定された複数の基準位置における奥行き方向の距離を推定する（図１８のステップＳ１３１）。
【０１２１】
制御部８は、図１６のステップＳ１０５の撮影動作により取得された２Ｄ画像データと、図１８のステップＳ１３１により得られた奥行き方向の距離の推定結果と、に基づき、手前側に（奥行き方向の距離が所定値以下であると推定された領域内に）大きく撮影された被写体があるか否かを判定する（図１８のステップＳ１３２）。
【０１２２】
そして、制御部８は、手前側に大きく撮影された被写体がないとの判定結果を得た場合には、２Ｄ画像データの優先度を３Ｄ画像データの優先度に比べて高くなるように設定する（図１８のステップＳ１３６）。また、制御部８は、手前側に大きく撮影された被写体があるとの判定結果を得た場合には、当該大きく撮影された被写体としての第１の被写体（図１９参照）からみて最も近い位置に存在する１つの基準位置を複数の基準位置の中から特定し、当該特定した１つの基準位置を起点位置（図１９参照）として設定する（図１８のステップＳ１３３）。
【０１２３】
制御部８は、図１６のステップＳ１０５の撮影動作により取得された２Ｄ画像データと、図１８のステップＳ１３１により得られた奥行き方向の距離の推定結果と、に基づき、図１８のステップＳ１３３により設定した起点位置の左右いずれかに、前述の第１の被写体よりも遠距離にあると推定される第２の被写体（図１９参照）が存在するか否かを判定する（図１８のステップＳ１３４）。
【０１２４】
そして、制御部８は、図１８のステップＳ１３３により設定した起点位置の左右いずれにも、前述の第２の被写体に該当する被写体が存在しないとの判定結果を得た場合には、２Ｄ画像データの優先度を３Ｄ画像データの優先度に比べて高くなるように設定する（図１８のステップＳ１３６）。また、制御部８は、図１８のステップＳ１３３により設定した起点位置の左右いずれかに、前述の第２の被写体に該当する被写体が存在するとの判定結果を得た場合には、さらに、図１８のステップＳ１０５の撮影動作により取得された２Ｄ画像データと、図１８のステップＳ１３１により得られた奥行き方向の距離の推定結果と、に基づき、前述の第１の被写体から第２の被写体へ向かう方向と同じ方向に沿って、前述の第２の被写体よりも遠距離にあると推定される第３の被写体（図１９参照）が存在するか否かを判定する（図１８のステップＳ１３５）。
【０１２５】
そして、制御部８は、前述の第３の被写体に該当する被写体が存在しないとの判定結果を得た場合には、２Ｄ画像データの優先度を３Ｄ画像データの優先度に比べて高くなるように設定する（図１８のステップＳ１３６）。また、制御部８は、前述の第３の被写体に該当する被写体が存在するとの判定結果を得た場合には、３Ｄ画像データの優先度を２Ｄ画像データの優先度に比べて高くなるように設定する（図１８のステップＳ１３７）。
【０１２６】
すなわち、図１８のフローチャートに示される各処理によれば、遠近感（立体感）を比較的簡単に味わうことができ、かつ、眼の疲労感を比較的低く抑えることができると推定される構図の画像データが得られた際に、３Ｄ画像データの優先度が２Ｄ画像データの優先度よりも高くなるように設定される。
【０１２７】
一方、制御部８の表示制御部８ｃは、図１６のステップＳ１０６の処理により設定された優先度に基づき、２Ｄ画像データ及び３Ｄ画像データのうち、相対的に高い優先度（１番目の優先度）に設定された一方の画像データを記録媒体６へ記録及び保存させるように促すための１次候補の確認画面を表示部７に表示させる（図１６のステップＳ１０７）。
【０１２８】
図２０は、第２の実施例において表示部に表示される１次候補の確認画面の一例を示す図である。
【０１２９】
具体的には、制御部８の表示制御部８ｃは、例えば、３Ｄ画像データの優先度を２Ｄ画像データの優先度に比べて高く設定した場合には、図２０に示すように、図１６のステップＳ１０５の撮影動作により取得された３Ｄ画像データと、「記録しますか？」の文字列を備えたメッセージ文と、記録媒体６への記録の要否を選択可能とするための「Ｙｅｓ」及び「Ｎｏ」（または「はい」及び「いいえ」）の文字列を含むＧＵＩと、を備えた１次候補の確認画面を表示部７に表示させる。
【０１３０】
制御部８は、図１６のステップＳ１０７の１次候補の確認画面において表示されている画像データを記録媒体６へ記録させる旨の選択がなされたか否かを判定する（図１６のステップＳ１０８）。そして、制御部８は、（例えば「Ｙｅｓ」または「はい」が選択されることにより、）図１６のステップＳ１０７の１次候補の確認画面において表示されている画像データを記録媒体６へ記録させる旨の選択がなされたことを検出すると、当該画像データに応じた画像ファイルを生成して記録媒体６へ記録及び保存させ（図１６のステップＳ１０９）、図１６のステップＳ１０５の撮影動作により取得した２Ｄ画像データ及び３Ｄ画像データを破棄した後、図１６のステップＳ１０１の処理を再度行う。
【０１３１】
また、制御部８は、図１６のステップＳ１０７の１次候補の確認画面において表示されている画像データを記録媒体６へ記録させる旨の選択がなされなかった場合に、さらに、当該１次候補の確認画面において表示されている画像データを記録媒体６へ記録させない旨の選択がなされたか否かを判定する（図１７のステップＳ１１０）。制御部８の表示制御部８ｃは、（例えば「Ｎｏ」または「いいえ」が選択されることにより、）図１６のステップＳ１０７の１次候補の確認画面において表示されている画像データを記録媒体６へ記録させない旨の選択がなされたことを検出すると、図１６のステップＳ１０６の処理により設定された優先度に基づき、２Ｄ画像データ及び３Ｄ画像データのうち、相対的に低い優先度（２番目の優先度）に設定された他方の画像データを記録媒体６へ記録及び保存させるように促すための確認画面としての２次候補の確認画面を表示部７に表示させる（図１７のステップＳ１１１）。
【０１３２】
図２１は、第２の実施例において表示部に表示される２次候補の確認画面の一例を示す図である。
【０１３３】
具体的には、制御部８の表示制御部８ｃは、例えば、３Ｄ画像データの優先度を２Ｄ画像データの優先度に比べて高く設定した場合には、図２１に示すように、図１６のステップＳ１０５の撮影動作により取得された２Ｄ画像データと、「記録しますか？」の文字列を備えたメッセージ文と、記録媒体６への記録の要否を選択可能とするための「Ｙｅｓ」及び「Ｎｏ」（または「はい」及び「いいえ」）の文字列を含むＧＵＩと、を備えた２次候補の確認画面を表示部７に表示させる。
【０１３４】
制御部８は、図１７のステップＳ１１１の２次候補の確認画面において表示されている画像データを記録媒体６へ記録させる旨の選択がなされたか否かを判定する（図１７のステップＳ１１２）。そして、制御部８は、（例えば「Ｙｅｓ」または「はい」が選択されることにより、）図１７のステップＳ１１１の２次候補の確認画面において表示されている画像データを記録媒体６へ記録させる旨の選択がなされたことを検出すると、当該画像データに応じた画像ファイルを生成して記録媒体６へ記録及び保存させ（図１６のステップＳ１０９）、図１６のステップＳ１０５の撮影動作により取得した２Ｄ画像データ及び３Ｄ画像データを破棄した後、図１６のステップＳ１０１の処理を再度行う。
【０１３５】
また、制御部８は、図１７のステップＳ１１１の２次候補の確認画面において表示されている画像データを記録媒体６へ記録させる旨の選択がなされなかった場合に、さらに、当該２次候補の確認画面において表示されている画像データを記録媒体６へ記録させない旨の選択がなされたか否かを判定する（図１７のステップＳ１１３）。制御部８の表示制御部８ｃは、（例えば「Ｎｏ」または「いいえ」が選択されることにより、）図１７のステップＳ１１１の２次候補の確認画面において表示されている画像データを記録媒体６へ記録させない旨の選択がなされたことを検出すると、図１６のステップＳ１０７に戻り、１次候補の確認画面を表示部７に再度表示させる。
【０１３６】
一方、制御部８の表示制御部８ｃは、図１６のステップＳ１０７の１次候補の確認画面において表示されている画像データの記録媒体６への記録の要否が選択されない状態であっても、所定の時間（例えば２０秒）が経過する前に撮影操作部３ａにおける撮影操作が行われなければ（図１７のステップＳ１１４及びステップＳ１１５）、当該１次候補の確認画面を表示し続ける（図１６のステップＳ１０７）。また、制御部８は、図１６のステップＳ１０７の１次候補の確認画面において表示されている画像データの記録媒体６への記録の要否が選択されないまま、所定の時間（例えば２０秒）が経過したことを検出すると（図１７のステップＳ１１４）、２Ｄ画像データ及び３Ｄ画像データに応じた２つの画像ファイルを生成して記録媒体６へ記録及び保存させ（図１７のステップＳ１２０）、図１６のステップＳ１０５の撮影動作により取得した２Ｄ画像データ及び３Ｄ画像データを破棄した後、図１６のステップＳ１０１の処理を再度行う。
【０１３７】
さらに、制御部８は、図１６のステップＳ１０７の１次候補の確認画面において表示されている画像データの記録媒体６への記録の要否が選択されない状態のまま、所定の時間（例えば２０秒）が経過する前に撮影操作部３ａにおける撮影操作が行われたことを検出すると（図１７のステップＳ１１４及びステップＳ１１５）、当該１次候補の確認画面に表示されている画像データを記録媒体６に記録及び保存させた（図１７のステップＳ１１６）後に、撮像部１における撮影動作を行わせることにより、新たな２Ｄ画像データ及び３Ｄ画像データを取得させる（図１６のステップＳ１０５）。
【０１３８】
制御部８の表示制御部８ｃは、図１７のステップＳ１１１の２次候補の確認画面において表示されている画像データの記録媒体６への記録の要否が選択されない状態であっても、所定の時間（例えば２０秒）が経過する前に撮影操作部３ａにおける撮影操作が行われなければ（図１７のステップＳ１１７及びステップＳ１１８）、当該２次候補の確認画面を表示し続ける（図１７のステップＳ１１１）。また、制御部８は、図１７のステップＳ１１１の２次候補の確認画面において表示されている画像データの記録媒体６への記録の要否が選択されないまま、所定の時間（例えば２０秒）が経過したことを検出すると（図１７のステップＳ１１７）、２Ｄ画像データ及び３Ｄ画像データに応じた２つの画像ファイルを生成して記録媒体６へ記録及び保存させ（図１７のステップＳ１２０）、図１６のステップＳ１０５の撮影動作により取得した２Ｄ画像データ及び３Ｄ画像データを破棄した後、図１６のステップＳ１０１の処理を再度行う。
【０１３９】
さらに、制御部８は、図１７のステップＳ１１１の２次候補の確認画面において表示されている画像データの記録媒体６への記録の要否が選択されない状態のまま、所定の時間（例えば２０秒）が経過する前に撮影操作部３ａにおける撮影操作が行われたことを検出すると（図１７のステップＳ１１７及びステップＳ１１８）、当該２次候補の確認画面に表示されている画像データを記録媒体６に記録及び保存させ（図１７のステップＳ１１９）後に、撮像部１における撮影動作を行わせることにより、新たな２Ｄ画像データ及び３Ｄ画像データを取得させる（図１６のステップＳ１０５）。
【０１４０】
以上に述べたように、本実施例によれば、被写体を撮影することにより得られる複数の画像データの中から、撮影状況に応じた好適な画像データを保存対象の画像データとして優先的に提示することができる。
【０１４１】
また、以上に述べたように、本実施例によれば、一度の撮影操作により２Ｄ画像データと３Ｄ画像データとを取得することができるため、例えば、３Ｄ撮影が効果的であると考えられる状況において、実際に３Ｄ撮影を行ったにも係わらず、遠近感（立体感）に富んだ３Ｄ画像データが得られなかった、というような状況を極力発生させないようにすることができる。
【０１４２】
ところで、本実施例によれば、一度の撮影操作により２Ｄ画像データと３Ｄ画像データとを取得させるような撮影動作を行うものに限らず、一度の撮影操作により２つ（またはそれ以上）の画像データを取得させることが可能な他の撮影動作を行うものに対する応用も考えられる。
【０１４３】
例えば、人物を逆光状態で撮影する場合においては、本実施例を以下のように適用することができる。
【０１４４】
制御部８は、ライブビュー表示を行っている最中に、撮像部１において取得された画像データに基づき、逆光状態で人物を撮影しているか否かを判定する。
【０１４５】
さらに、制御部８は、逆光状態で人物を撮影しているとの判定結果を得た場合に、撮影操作部３ａにおける撮影操作が行われると、露出の異なる２つの画像データとして、人物の顔に露出を合わせて撮影した画像データと、人物の背景に露出を合わせて撮影した画像データと、を連続的に取得させるような撮影動作を撮像部１において行わせる。
【０１４６】
その後、制御部８の優先度設定部８ｂは、逆光状態で人物を撮影しているとの判定結果を得た場合において、人物の顔に露出を合わせて撮影した画像データの優先度を、人物の背景に露出を合わせて撮影した画像データの優先度に比べて高くなるように設定する。
【０１４７】
また、例えば、パンニングしながら撮影を行う場合においては、図２２に示すような、３軸方向（Ｘ、Ｙ及びＺ軸方向）の加速度をそれぞれ検出して出力することが可能な加速度検出部２ｂを備えた撮像装置１０１Ａを用いることにより、本実施例を以下のように適用することができる。
【０１４８】
図２２は、パンニングされているか否かを検出可能な撮像装置の構成の一例を示すブロック図である。
【０１４９】
制御部８は、ライブビュー表示を行っている最中に、加速度検出部２ｂにおける加速度の検出結果に基づき、撮像装置１０１Ａがパンニングされているか否かを判定する。
【０１５０】
さらに、制御部８は、撮像装置１０１Ａがパンニングされているとの判定結果を得た場合に、撮影操作部３ａにおける撮影操作が行われると、撮像部１において連続的に撮影動作を行わせることにより、２つ以上の画像データを取得させる。
【０１５１】
その後、制御部８の優先度設定部８ｂは、撮像装置１０１Ａがパンニングされた状態で撮影して得られた２つ以上の画像データにおいて、被写体が中央部に位置するにつれて優先度が高くなるように優先度を設定する。
【０１５２】
また、例えば、水中で撮影を行う場合においては、図２３に示すような、大気中と水中との間における抵抗値の変化を検出して出力することが可能な水中検出部２ｃを備えた防水仕様の撮像装置１０１Ｂを用いることにより、本実施例を以下のように適用することができる。
【０１５３】
図２３は、水中に配置されているか否かを検出可能な撮像装置の構成の一例を示すブロック図である。
【０１５４】
制御部８は、ライブビュー表示を行っている最中に、水中検出部２ｃにおける抵抗値の変化の検出結果に基づき、撮像装置１０１Ｂが水中に配置されているか否かを判定する。
【０１５５】
さらに、制御部８は、撮像装置１０１Ｂが水中に配置されているとの判定結果を得た場合に、撮影操作部３ａにおける撮影操作が行われると、撮像装置１０１Ｂに設けられた図示しないストロボ等の発光装置を発光させて撮影した画像データと、前記発光装置を発光させずに撮影した画像データと、の２つの画像データを連続的に取得させるような撮影動作を撮像部１において行わせる。
【０１５６】
その後、制御部８の優先度設定部８ｂは、撮像装置１０１Ｂが水中に配置された状態で撮影して得られた２つの画像データにおいて、鮮明な色調の画像データの優先度を、不鮮明な色調の画像データの優先度に比べて高くなるように設定する。
【０１５７】
そして、以上の各応用例においても、制御部８の優先度設定部８ｂにより設定された優先度に基づき、制御部８の表示制御部８ｃにより１次候補及び２次候補の確認画面を生成して表示部７に表示させることができるため、すなわち、被写体を撮影することにより得られる複数の画像データの中から、撮影状況に応じた好適な画像データを保存対象の画像データとして優先的に提示することができる、という作用効果を発揮することができる。
【０１５８】
なお、本発明は、上述した各実施例に限定されるものではなく、発明の趣旨を逸脱しない範囲内において種々の変更や応用が可能であることは勿論である。
【符号の説明】
【０１５９】
１  撮像部
２ａ  位置情報取得部
２ｂ  加速度検出部
２ｃ  水中検出部
３  操作部
３ａ  撮影操作部
３ｂ  入力操作部
４  時計
５  仮記録部
６  記録媒体
７  表示部
８  制御部
８ａ  画像処理部
８ｂ  優先度設定部
８ｃ  表示制御部
１０１，１０１Ａ，１０１Ｂ  撮像装置
【図１】
2012109686.tif 000003
【図２】
2012109686.tif 000004
【図３】
2012109686.tif 000005
【図４】
2012109686.tif 000006
【図５】
2012109686.tif 000007
【図６】
2012109686.tif 000008
【図７】
2012109686.tif 000009
【図８】
2012109686.tif 000010
【図９】
2012109686.tif 000011
【図１０】
2012109686.tif 000012
【図１１】
2012109686.tif 000013
【図１２】
2012109686.tif 000014
【図１３】
2012109686.tif 000015
【図１４】
2012109686.tif 000016
【図１５】
2012109686.tif 000017
【図１６】
2012109686.tif 000018
【図１７】
2012109686.tif 000019
【図１８】
2012109686.tif 000020
【図１９】
2012109686.tif 000021
【図２０】
2012109686.tif 000022
【図２１】
2012109686.tif 000023
【図２２】
2012109686.tif 000024
【図２３】
2012109686.tif 000025